(57)【要約】      （修正有）【課題】装着したままタッチパネルの操作を行う手袋に関するもので、樹脂材料を節約しつつ携帯電子機器を持つ際に滑り難くする手袋を提供する。【解決手段】指先を導電性糸で編成した手袋１００の中指、薬指、小指の中手指節関節５０から遠位指節関節５１までに相当する部分で、小指側から中指側にかけて末節側５２に傾斜して設けられる。また、手相でいう生命線に略沿って第二滑り止め５が設けられる。ユーザが手袋１００でスマートフォンを左手に持つとき、スマートフォンの両側縁が第一滑り止め４及び第二滑り止め５に接し、摩擦力によりスマートフォンの滑りが防止される。このように、スマートフォンを握るときに当該スマートフォンに当接する部分周辺に滑り止め４，５の樹脂を設ければ材料の無駄がない。【選択図】図１
0003171250.tif 000002
【実用新案登録請求の範囲】
【請求項１】
非導電性糸で編成した本体と、
いずれかの指先部分に導電性糸で編成することで形成したタッチ部と、
掌部および指部の一部に、一定間隔をあけて略平行に略帯状の滑り止めをそれぞれ設けたことを特徴とする手袋。
【請求項２】
前記滑り止めは、中指、薬指、小指のいずれかでその中手指節関節から遠位指節関節までの間で、小指側から中指側にかけて末節側に傾斜して設けた第一滑り止めと、
手相でいう生命線に略沿って設けた第二滑り止めと、
からなることを特徴とする請求項１に記載の手袋。
【請求項３】
前記タッチ部には角部が形成されていることを特徴とする請求項１又は２に記載の手袋。
【請求項４】
人差し指の近位指節関節の周囲を導電性糸で編成し、当該部分に角部を形成したことを特徴とする請求項１〜３のいずれか一つに記載の手袋。
【請求項５】
前記タッチ部の角部を親指の指先に形成したことを特徴とする請求項１〜４のいずれか一つに記載の手袋。
【請求項６】
非導電性糸で編成した本体と、
いずれかの指先部分に導電性樹脂で形成した角部を有するタッチ部と、
掌部および指部の一部に、一定間隔をあけて略平行に略帯状の滑り止めをそれぞれ設けたことを特徴とする手袋。
【考案の詳細な説明】
【技術分野】
【０００１】
本考案は、装着したままでタッチパネルの操作を行う手袋に関するものである。
【背景技術】
【０００２】
従来から静電容量式のタッチパネルを操作できる手袋が知られている。例えば、特許文献１に記載の手袋は、全体が編糸からなり、掌部の一部又は全部に滑り止めの樹脂を設け、指先を導電性繊維で編成した構成している。この手袋の指先で静電容量式のタッチパネルを操作した場合、指先の導電性繊維からなるタッチ部の静電容量を検出できるので、手袋を装着したままで、タッチパネルの操作が可能となる。
【０００３】
また、特許文献２及び特許文献３に記載の手袋も指先を導電性繊維で構成して手袋をしたままでタッチパネルの操作を可能としたものである。
【０００４】
一方、タッチパネルを有する携帯電子機器を手に持つとき、従来の糸を編んでなる手袋等では携帯電子機器が手から滑るために取り扱い難いという問題があった。これに対し、特許文献４に記載の手袋は、指先部分に爪先を通す穴を設け且つキータッチする部分にはキー押圧部材を設けると共に掌部に滑り止めを設けている。また、携帯電子機器の操作をする際に滑り止めを有する手袋としては、例えば特許文献５に記載のものが知られている。
【先行技術文献】
【特許文献】
【０００５】
【特許文献１】実用新案登録第３１６７３２７号公報
【特許文献２】特開２００８−８１８９６号公報
【特許文献３】実用新案登録第３１６０２１１号公報
【特許文献４】特開２００１−１１５３１９号公報
【特許文献５】実用新案登録第３１５０７５６号公報
【考案の概要】
【考案が解決しようとする課題】
【０００６】
しかしながら、上記従来の手袋のように携帯電子機器の滑り防止のため樹脂等を手袋の掌部の全体に設けると、樹脂材料が多くなって経済的ではないという問題点があった。また、掌部の一部に設ける場合でも、実用的でない部分に設けると樹脂材料が無駄になる。
【０００７】
更に、従来の手袋では指先に導電性の糸を設けたものであるため、タッチパネルに対する接触面積が大きくなるため指先の触れる位置に気をつけなければ、隣のキー等を誤って押してしまうという問題点があった。
【０００８】
そこで、この考案の目的は、樹脂材料を節約しつつ携帯電子機器を持つ際に滑り難くすること、好ましくは指先でタッチパネルを誤りなく操作しやくすることにある。
【課題を解決するための手段】
【０００９】
この考案の手袋は、非導電性糸で編成した本体と、いずれかの指先部分に導電性糸で編成することで形成したタッチ部と、掌と指部の一部とに一定間隔をあけて略平行に略帯状の滑り止めを設けたことを特徴とする。なお、前記略帯状の滑り止めは、矩形状のみならず、形状や模様により近似的に帯状となっている場合を含む。
【００１０】
また、この考案の手袋は、上記考案において、前記滑り止めは、中指、薬指、小指のいずれかでその中手指節関節から遠位指節関節までの間で、小指側から中指側にかけて末節側に傾斜して設けた第一滑り止めと、手相でいう生命線に略沿って設けた第二滑り止めとからなることを特徴とする。なお、左手の手袋に滑り止めを設ける場合は、近位指節関節から遠位指節関節までの間とするのが好ましい。
【００１１】
また、この考案の手袋は、上記考案において、前記タッチ部には角部が形成されていることを特徴とする。この角部は、例えば角を有する樹脂成形体を指先に設けて当該タッチ部の指先に形成する場合や、角を有する導電性樹脂成形体を指先に設けて形成する場合がある。
【００１２】
また、この考案の手袋は、上記考案において、人差し指の近位指節関節の周囲を導電性糸で編成し、当該部分に角部を形成したことを特徴とする。
【００１３】
また、この考案の手袋は、上記考案において、前記タッチ部の角部を親指の指先に形成したことを特徴とする。
【００１４】
また、この考案の手袋は、非導電性糸で編成した本体と、いずれかの指先部分に導電性樹脂で形成した角部を有するタッチ部と、掌部および指部の一部に、一定間隔をあけて略平行に略帯状の滑り止めをそれぞれ設けたことを特徴とする。
【図面の簡単な説明】
【００１５】
【図１】この考案の実施の形態１にかかる手袋を示す平面図である。
【図２】この考案の手袋の使用状態を示す説明図である。
【図３】この考案の実施の形態２に係る手袋を示す説明図である。
【図４】実施の形態２に係る手袋の変形例を示す説明図である。
【図５】実施の形態２に係る手袋の変形例を示す説明図である。
【図６】この考案の実施の形態３に係る手袋を示す説明図である。
【図７】図６に示した手袋の使用状態を示す説明図である。
【図８】この考案の実施の形態４に係る手袋を示す平面図である。
【図９】図８に示した手袋の使用状態を示す説明図である。
【考案を実施するための形態】
【００１６】
（実施の形態１）
図１は、この考案の実施の形態１にかかる手袋を示す平面図である。図２は、この考案の手袋の使用状態を示す説明図である。この手袋１００は、図中左側が左手用、図中右側が右手用となり、５本の指先１が導電性繊維により編成され、本体の指先１以外の部分２は非導電性の繊維（通常の繊維）により構成された構造である。導電性糸で編成した指先１の部分をタッチ部３とする。なお、図示しないが指先１のみならず指の付け根までの間の所望部分まで導電性糸で編成しても良い。
【００１７】
手袋１００の掌側には、樹脂からなる滑り止め４，５がプリントされている。この滑り止め４，５は、所謂スマートフォン等の片手で掴める大きさの携帯電子機器Ｓの側面Ｓ１やその周囲に当接する位置に設けられる。滑り止め４，５に用いる樹脂は、シリコン樹脂、塩化ビニール、天然ゴム等である。右利きのユーザは、左手でスマートフォンＳを持って右手の指先１で操作を行う。このため、左手の掌側に滑り止め４，５を設ける。第一滑り止め４を設ける位置は、手袋１００の中指、薬指、小指の中手指節関節５０（好ましくは近位指節関節５２）から遠位指節関節５１までに相当する部分で、小指側から中指側にかけて末節側５２に傾斜して設ける。また、人差し指まで当該滑り止め４を設けても良い。
【００１８】
また、掌部のうち、手相でいう生命線に略沿って第二滑り止め５が設けられる。滑り止め４，５は、帯状であっても良いが、デザイン性を持たせるため、様々な形状や模様により滑り止め４，５を構成しても良い。この場合形状や模様が帯状の範囲に形成される。例えば、図１の場合、アーガイル柄により滑り止め４，５を構成する。この他、アルファベット、星、バーコード、ピクとグラム等のデザインを滑り止め４，５として構成できる。なお、滑り止め４，５の帯状の領域以外にデザインプリントすることは差し支えないが、実際に滑り止めとして機能するのは当該領域のものが殆どである。
【００１９】
具体的には、一般的な手の大きさのユーザが手袋１００を装着した場合であってその手袋１００で長四角部形状の所謂スマートフォンＳを左手に持つとき、スマートフォンＳの両側縁Ｓ１が上記第一滑り止め４及び第二滑り止め５に接し、摩擦力によりスマートフォンＳの滑りが防止される。第一滑り止め４及び第二滑り止め５の幅（模様やアルファベット等の場合は、模様等が形成された長手方向に対する幅）は１０ｍｍ以上２０ｍｍ以下とするのが好ましい。この範囲であれば、様々な手の大きさのユーザが手袋１００を装着した場合でも、スマートフォンＳを確実に握ることができる。このように、手袋１００の一部であってスマートフォンＳを握るときに当該スマートフォンＳに当接する部分周辺に滑り止め４，５の樹脂を設けたので、樹脂を効率的に使用できるので材料の無駄がない。また、樹脂を必要最小限に用いるので、手袋１００の使用時にごわごわせず、動きの自由度を阻害しない。
【００２０】
タッチ部３は、図１に示すように、各指先１の末節５２に相当する部分の全てに設けられている。この他、タッチ部３を爪先が位置する部分のみに設けても良いし、末節５２の掌側のみに設けても良い（いずれも図示省略）。また、右手の指先１のみを導電性糸で編成しても良い。
【００２１】
この手袋１００を使用するにあたり、図２に示すように、ユーザが手袋１００をはめて左手でスマートフォンＳを掴む。このとき、スマートフォンＳの左右端縁Ｓ１が第一滑り止め４及び第二滑り止め５に当接し、摩擦力によりスマートフォンＳと手袋１００との間の滑りが防止される。この状態でタッチパネルＴはユーザに向いている。ユーザは、右手に装着した手袋１００の指先１のタッチ部３をタッチパネルＴに当てる。最近のスマートフォンＳのタッチパネルＴは静電容量式のものであるから、当該タッチ部３によりタッチパネルＴを操作できる。
【００２２】
（実施の形態２）
図３は、この考案の実施の形態２に係る手袋を示す説明図である。この手袋２００は、指先１の導電性糸で編成したタッチ部３の形状を角部６を有するくちばし状に成形した点に特徴がある。その他の構成は実施の形態１の手袋１００と同じであるから、同一構成要素には同一符合を付してその説明を省略する。タッチ部３の内側には樹脂によりくちばし状に成形された先端部材７が縫い付けられている。このため、タッチ部３は先端部材７の形になるので、タッチ部３に角部６ができ、手袋１００を装着した場合でもタッチパネルＴの所望部分を誤りなくタッチできる。また、くちばし状の先端部材７を設けるのは、細かいタッチを最も行うであろう人差し指のタッチ部３のみとするのが好ましい。このようにすれば、タッチパネルＴの操作以外のときに角部６が邪魔にならない。
【００２３】
また、図４に示すように、導電性樹脂で成形したくちばし状の先端部材８をタッチ部３の表面に貼り付けて角部６を構成しても良い。この先端部材８は全ての指先１に取り付けても良いし、上記同様に人差し指のみに取り付けても良い。また、先端部材８は導電性樹脂で構成されているため、当該先端部材８を取り付けた指先１は、導電性糸で編成する必要はない。
【００２４】
更に、図５に示すように、ペン先形状のプラスチック又はシリコンの板状体９を指先１の爪が位置する部分に内側から貼り付けても良い。これにより、タッチ部３に角部６が形成されるので、タッチパネルＴを操作しやくなる。
【００２５】
（実施の形態３）
図６は、この考案の実施の形態３に係る手袋を示す説明図である。この手袋３００は、人差し指の近位指節関節の周囲１１を導電性糸で編成し、当該部分に角部６を形成する先端部材１０を設けた構成である。この先端部材１０は、指を近位指節関節で折り曲げたとき、図７に示すように、角部６がたつようになるため、タッチパネル６を操作しやすくなる。また、ネイルを施した指であってもその指先１を使うことなく、タッチパネルＴを操作できる。このため、ネイルが損傷したり外れたりすることがない。
【００２６】
（実施の形態４）
図８は、この考案の実施の形態４に係る手袋を示す平面図である。この手袋４００は、片手でスマートフォンＳを握って操作する場合に好適である。例えば鞄を片手に持ってスマートフォンＳを操作するときには、もう一方の手でスマートフォンＳを握ると共に親指でタッチパネルＴを操作することが多い。このため、手袋４００の親指の指先１を導電性糸で編成したタッチ部３とする。また、親指は短いためスマートフォンＳのタッチパネルＴの全体を操作するには不便であり、特に女性にとっては難しい作業である。
【００２７】
このため、この手袋４００では、親指の指先１に上記くちばし状の先端部材１２を設ける。先端部材１２は、上記実施の形態と同様に樹脂で構成してタッチ部３の裏側に設けるようにしても良いし、導電性樹脂で構成したものを指先１に貼り付けても良い。また、右手の手袋１００に、上記左手と略同じ位置に滑り止め４，５を設ける。但し、片手で操作するときは、スマートフォンＳの持ち方が両手操作のときとは若干異なるので、第一滑り止め４を設ける位置は、中指、薬指、小指の中手指節関節５３から遠位指節関節５１までの間で、小指側から中指側にかけて末節側に傾斜して設けるときに、当該傾斜が指の並ぶ方向になる。また、人差し指まで当該滑り止め４を設けても良い。また、手相でいう生命線に略沿って第二滑り止め５が傾斜して設けられるが、この傾斜も第二滑り止め５も指の長手方向に傾く。
【００２８】
図９は、この手袋の使用状態を示す説明図である。ユーザが手袋４００をはめて右手でスマートフォンＳを掴む。このとき、スマートフォンＳの左右端縁Ｓ１が第一滑り止め４及び第二滑り止め５に当接し、摩擦力によりスマートフォンＳと手袋４００との間の滑りが防止される。この状態でタッチパネルＴはユーザに向いている。ユーザは、右手に装着した手袋１００の親指のタッチ部３をタッチパネルＴに当てる。タッチパネルＴは静電容量式のものであるから、当該タッチ部３によりタッチパネルＴを操作できる。また、親指のタッチ部３に角部６を形成した場合、親指がタッチパネルＴの全面に簡単に届くようになるから、手の小さい女性であっても片手でスマートフォンＳを簡単に操作できる。
【符号の説明】
【００２９】
１００  手袋
１  指先
３  タッチ部
４，５  滑り止め
６  角部
【図１】
0003171250.tif 000003
【図２】
0003171250.tif 000004
【図３】
0003171250.tif 000005
【図４】
0003171250.tif 000006
【図５】
0003171250.tif 000007
【図６】
0003171250.tif 000008
【図７】
0003171250.tif 000009
【図８】
0003171250.tif 000010
【図９】
0003171250.tif 000011